(57)【要約】【課題】カバーが落下することを防止できるようにすること。【解決手段】実施形態に係る照明装置は、発光部と、放熱部と、本体部と、カバーと、規制部材とを具備する。発光部は、複数の発光素子が発光面に配置される。放熱部は、複数の放熱フィンが間隔を空けて配列される。本体部は、前面側に発光部が設けられ、背面側に放熱部が設けられる。カバーは、発光部の発光面を覆い、発光部を背面側へ押圧して本体部へ固定する透光性のカバーである。規制部材は、カバーの側面側から前面側へ突出する部位を有する。【選択図】図１
2018055794.tif 000002
【特許請求の範囲】
【請求項１】
複数の発光素子が発光面に配置される発光部と；
複数の放熱フィンが間隔を空けて配列される放熱部と；
前面側に前記発光部が設けられ、背面側に前記放熱部が設けられる本体部と；
前記発光部の前記発光面を覆い、前記発光部を背面側へ押圧して前記本体部へ固定する透光性のカバーと；
前記カバーの側面側から前面側へ突出する部位を有する規制部材と；
を具備することを特徴とする照明装置。
【請求項２】
前記規制部材は、
前記放熱フィンの間から前記本体部の側面を通過して前記カバーの前面側に至る屈曲した形状であることを特徴とする請求項１に記載の照明装置。
【請求項３】
前記放熱部は、
前記放熱フィンの間隔が最も広い部位を前記放熱フィンの配列向きにおける中央部に有しており、
前記規制部材は、
前記最も広い部位に設けられることを特徴とする請求項２に記載の照明装置。
【請求項４】
前記規制部材は、
前記前面側からみて前記発光部の前記発光素子と重ならない領域に、前記突出する部位が位置するように設けられることを特徴とする請求項１〜３のいずれか一つに記載の照明装置。
【請求項５】
前記本体部は、
前記前面側からみて矩形状であり、
前記本体部の対向する側面を挟み込むように前記本体部を揺動可能に支持する支持部；
を具備し、
前記放熱部は、
前記放熱フィンの配列向きが前記本体部における前記対向する側面を結ぶ向きとなるように設けられ、
前記規制部材は、
前記本体部の対向する側面以外の側面に設けられることを特徴とする請求項１〜４のいずれか一つに記載の照明装置。
【発明の詳細な説明】
【技術分野】
【０００１】
本発明の実施形態は、照明装置に関する。
【背景技術】
【０００２】
近年、ＬＥＤ（Light  Emitting  Diode）等の発光素子を用いた照明器具が知られている。また、照明装置は、複数の発光素子が配置された発光部の発光面を覆う透光性のカバーを有する。かかるカバーは、固定孔を有し、例えばネジ等の固定具を固定孔へ通すことで発光部を押圧して固定する。
【先行技術文献】
【特許文献】
【０００３】
【特許文献１】特開２０１３−０８４６１０号公報
【発明の概要】
【発明が解決しようとする課題】
【０００４】
しかしながら、従来のカバーでは、固定孔が破損した場合に、カバーが外れて落下するおそれがあった。
【０００５】
本発明が解決しようとする課題は、カバーが落下することを防止できる照明装置を提供することを目的とする。
【課題を解決するための手段】
【０００６】
実施形態に係る照明装置は、発光部と、放熱部と、本体部と、カバーと、規制部材とを具備する。発光部は、複数の発光素子が発光面に配置される。放熱部は、複数の放熱フィンが間隔を空けて配列される。本体部は、前面側に前記発光部が設けられ、背面側に前記放熱部が設けられる。カバーは、前記発光部の前記発光面を覆い、前記発光部を背面側へ押圧して前記本体部へ固定する透光性のカバーである。規制部材は、前記カバーの側面側から前面側へ突出する部位を有する。
【図面の簡単な説明】
【０００７】
【図１】図１は、実施形態に係る照明装置の斜視図である。
【図２】図２は、実施形態に係る規制部材の斜視図である。
【図３】図３は、実施形態に係る照明装置の背面図である。
【図４】図４は、実施形態に係る照明装置の側面図である。
【図５】図５は、実施形態に係る規制部材の断面図である。
【図６】図６は、実施形態に係る照明装置の前面図である。
【図７】図７は、実施形態に係る規制部材の変形例を示す図である。
【発明を実施するための形態】
【０００８】
以下で説明する実施形態に係る照明装置１は、発光部６０と、放熱部５０と、本体部４０と、カバー７０と、規制部材８０とを具備する。発光部６０は、複数の発光素子６１が発光面６４に配置される。放熱部５０は、複数の放熱フィン５１が間隔を空けて配列される。本体部４０は、前面側に発光部６０が設けられ、背面側に放熱部５０が設けられる。カバー７０は、発光部６０の発光面６４を覆い、発光部６０を背面側へ押圧して本体部４０へ固定する透光性のカバー７０である。規制部材８０は、カバー７０の側面４２側から前面側へ突出する部位（突出部８１ａ）を有する。
【０００９】
以下で説明する実施形態に係る規制部材８０は、放熱フィン５１の間から本体部４０の側面４２を通過してカバー７０の前面側に至る屈曲した形状である。
【００１０】
以下で説明する実施形態に係る放熱部５０は、放熱フィン５１の間隔が最も広い部位を放熱フィン５１の配列向きにおける中央部に有する。規制部材８０は、放熱フィン５１の間隔が最も広い部位に設けられる。
【００１１】
以下で説明する実施形態に係る規制部材８０は、前面側からみて発光部６０の発光素子６１と重ならない領域Ｒに、突出する部位（突出部８１ａ）が位置するように設けられる。
【００１２】
以下で説明する実施形態に係る照明装置１は、支持部１０を具備する。本体部４０は、前面側からみて矩形状である。支持部１０は、本体部４０の対向する側面４１を挟み込むように本体部４０を揺動可能に支持する。放熱部５０は、放熱フィン５１の配列向きが本体部４０における対向する側面４１を結ぶ向きとなるように設けられる。規制部材８０は、本体部４０の対向する側面４１以外の側面４２に設けられる。
【００１３】
以下、図面を参照して、実施形態に係る照明装置について説明する。実施形態において同一の部位には同一の符号を付し、重複する説明は省略される。また、以下に示す実施形態では、「平行」、「水平」といった表現を用いる場合があるが、厳密にこれらの状態を満たすことを要しない。すなわち、上記した各表現は、製造精度、設置精度、処理精度、検出精度などのずれを許容するものとする。
【００１４】
（実施形態）
まず、図１を用いて、実施形態に係る照明装置１の構成例について説明する。図１は、実施形態に係る照明装置１の斜視図である。図１では、照明装置１を斜め下方向から見た例を示す。
【００１５】
図１に示した照明装置１は、いわゆるダウンライトであり、例えば体育館等の建物内の高天井に吊り下げて設置され、広い照明空間を照明するために用いられる。
【００１６】
なお、図１では、説明を分かりやすくするために、鉛直方向上向きを正方向とするＺ軸を含む３次元の直交座標系を図示している。かかる直交座標系は、以下の説明で用いる他の図面においても示す場合がある。
【００１７】
図１に示すように、照明装置１は、支持部１０と、電源ボックス２０と、端子台カバー３０と、本体部４０と、放熱部５０と、発光部６０と、透光性カバー７０とを具備する。
【００１８】
支持部１０は、本体部４０の対向する側面を挟み込むことで、照明装置１を揺動可能に吊り下げて支持する。また、支持部１０は、本体部４０の側面側に例えば半弧状の調整孔を有している。かかる調整孔を介して例えばボルト等の締結部材によって本体部４０へ固定することで、本体部４０の取付角度を調整することができる。
【００１９】
また、支持部１０は、上面に取付孔を有しており、かかる取付孔を介して例えばボルト等の締結部材によって天井へ固定される。なお、図１に示す支持部１０の形状は、一例であり、天井に取り付け可能であれば形状は問わない。
【００２０】
電源ボックス２０は、発光部６０を制御する図示しない制御基板を収容する。また、図１に示すように、電源ボックス２０は、例えば直方体状の筐体であり、本体部４０の背面側（Ｚ軸正方向側）に設けられる。
【００２１】
端子台カバー３０は、端子台３１を内蔵する筐体である。また、端子カバー３０は、側面に配線孔を有し、配線孔を通過した外部配線３５が端子台３１へ接続される。たとえば、端子台カバー３０は、照明装置１の取り付け後に、施行者によって取り付けられる。なお、端子台カバー３０を省略することとしてもよい。
【００２２】
端子台３１は、外部配線３５のうち電源線３５ａが接続される電源端子台３１ａと、信号線３５ｂが接続される信号端子台３１ｂとを具備する。なお、図１では、端子台３１が２つである場合について説明したが、端子台３１の数は、１つであっても３つ以上であってもよい。
【００２３】
本体部４０は、略直方体状であり、前面側（Ｚ軸負方向側）に発光部６０が設けられ、背面側（Ｚ軸正方向側）に電源ボックス２０が設けられる。
【００２４】
放熱部５０は、発光部６０の背面側に設けられ、複数の放熱フィン５１が間隔をあけて配列される。放熱部５０は、発光部６０の発光素子６１が発光することにより発生する熱を外部へ放出する。これにより、放熱部５０は、照明装置１の温度上昇を抑えることができる。
【００２５】
発光部６０は、前面側の発光面上に複数の発光素子６１が配列される。発光素子６１は、例えばＬＥＤ（Light  Emitting  Diode）チップである。発光素子６１は、電源ボックス２０に内蔵された制御基板からの制御信号に応じて発光する。
【００２６】
透光性カバー７０は、発光部６０の発光面を覆うように発光部６０の前面側に設けられる。透光性カバー７０は、例えば、ガラスや樹脂であり、発光素子６１が発光した光を透過させる。また、透光性カバー７０には、複数の固定孔７１（図６参照）が設けられ、かかる固定孔７１に例えばネジ等の固定部材を通すことで、発光部６０が背面側へ押圧されるように本体部４０へ固定される。なお、以下では、透光性カバー７０を単にカバー７０と記載する場合がある。
【００２７】
ここで、カバー７０の固定孔７１と固定部材との接触箇所では、固定部材の押圧によりカバー７０に対して局所的に負荷がかかっている。このため、例えば、カバー７０の固定孔７１が経年劣化により破損した場合、カバー７０が発光部６０から外れ、落下するおそれがあった。
【００２８】
そこで、実施形態に係る照明装置１では、固定孔７１とは別にカバー７０の落下を防止する規制部材８０を設けることとした。具体的には、図１におけるＸ軸負方向側の規制部材８０は、カバー７０の側面側（Ｘ軸負方向側）から前面側（Ｘ軸正方向側）へ突出する部位を有する。なお、図１におけるＸ軸正方向側の規制部材８０も同様にカバー７０の前面側（Ｘ軸負方向側）へ突出する部位を有する。
【００２９】
これにより、規制部材８０の突出する部位がカバー７０に引っかかるため、カバー７０が外れても落下することを防止できる。以下、実施形態に係る規制部材８０について詳細に説明する。
【００３０】
なお、規制部材８０は、カバー７０の前面に触れる程度に接してもよく、カバー７０から離れていてもよい。つまり、規制部材８０は、カバー７０を押圧しないことが好ましいが、かかる点については、図５を用いて後述する。
【００３１】
まず、図２を用いて、実施形態に係る規制部材８０の構成について説明する。図２は、実施形態に係る規制部材８０の斜視図である。図２には、規制部材８０を斜め上から見た図を示している。
【００３２】
図２に示すように、実施形態に係る規制部材８０は、第１アングル部８１と、第２アングル部８２とを具備する。つまり、規制部材８０は、２つの別部材で構成される。
【００３３】
第１アングル部８１は、例えばＬ字状に屈曲した形状であり、１枚の金属板を折り曲げ加工することで製造される。なお、第１アングル部８１の素材は、金属に限定されるものではなく、例えば樹脂等でもよく、カバー７０の重量に耐えうる強度があればよい。
【００３４】
また、第１アングル部８１は、突出部８１ａと、取付部８１ｂとを具備する。突出部８１ａは、図示しないカバー７０の前面（Ｚ軸負方向側の端面）と対向する位置に設けられる。
【００３５】
取付部８１ｂは、突出部８１ａの基端部からＺ軸正方向側へ延伸する部位である。また、取付部８１ｂは、カバー７０の側面（Ｘ軸負方向側の端面）に沿って設けられる。つまり、第１アングル部８１は、カバー７０の側面側から前面側へ屈曲している。
【００３６】
第２アングル部８２は、例えばＬ字状に屈曲した形状であり、１枚の金属板を折り曲げ加工することで製造される。なお、第２アングル部８２の素材は、第１アングル部８１と同様の素材を用いてもよく、異なる素材を用いてもよく、カバー７０を支える際に第１アングル部８１から伝わる負荷に耐えうる強度の素材であればよい。
【００３７】
第２アングル部８２は、固定部８２ａと、連結部８２ｂとを具備する。固定部８２ａは、連結部８２ｂとの接続箇所である基端部と、基端部からＸ軸正方向側へ延伸する先端部とを有する。つまり、固定部８２ａと、突出部８１ａとは対向する位置関係となる。
【００３８】
また、固定部８２ａは、Ｚ軸負方向側で図示しない放熱部５０に固定される。具体的には、固定部８２ａは、例えばネジ等の固定具８４をＺ軸正方向側から通過させることで、放熱部５０に固定される。
【００３９】
なお、図２では、説明を分かりやすくするため、固定具８４が、固定部８２ａのＺ軸負方向側で見えた状態を示しているが、実際には、Ｚ軸負方向側の固定具８４は、放熱部５０に埋もれるため見えなくなる。
【００４０】
連結部８２ｂは、固定部８２ａの基端部からＺ軸正方向側へ延伸する部位である。つまり、連結部８２ｂと、取付部８１ｂとは対向する位置関係となる。また、連結部８２ｂは、取付部８１ｂよりもＸ軸正方向側の位置で取付部８１ｂと連結される。
【００４１】
具体的には、連結部８２ｂと、取付部８１ｂとは、例えばネジ等の固定具８３をＸ軸負方向側から通過させることで連結される。
【００４２】
このように、規制部材８０は、第１アングル部８１および第２アングル部８２により、放熱部５０およびカバー７０を挟みこむ形状を有する。つまり、規制部材８０は、第１アングル部８１がカバー７０を受け止め、第２アングル部８２が放熱部５０に固定されることで、カバー７０の重量を支える。つまり、カバー７０が落下することを防止できる。
【００４３】
なお、図２では、規制部材８０は、双方がＬ型形状を有する第１アングル部８１および第２アングル部８２の２つの部材で構成されることとしたが、規制部材８０は、１つの部材で構成されてもよい。かかる場合、規制部材８０は、例えば、溝型形状の部材、いわゆるチャンネル材を用いることができる。
【００４４】
次に、図３を用いて、規制部材８０の配置について説明する。図３は、実施形態に係る照明装置１の背面図である。つまり、図３は、照明装置１をＺ軸正方向から見た図である。図３に示すように、照明装置１の本体部４０は、矩形状であり、外周となる各辺からＺ軸負方向へ延伸する側面４１，４２を有する。なお、図３では、本体部４０が正方形である場合を示しているが、本体部４０が長方形であってもよい。
【００４５】
側面４１は、支持部１０が例えばボルト等の固定具１１によってＹ軸向きに挟みこむように固定される側面である。また、固定具１１は、本体部４０の角度調整が可能な部材であり、本体部４０をＹ軸と平行な回転軸まわりに揺動させた状態で固定することができる。つまり、支持部１０は、対向する側面４１を挟み込むように本体部４０を揺動可能に支持する。
【００４６】
側面４２は、実施形態に係る規制部材８０が設けられる側面である。ここで、詳細は後述するが、放熱部５０は、放熱フィン５１の配列向きが本体部４０における対向する側面４１を結ぶ向きとなるように設けられる。つまり、各放熱フィン５１の間の隙間は、対向する側面４２の間でＸ軸向きに設けられる。
【００４７】
このため、規制部材８０は、隣り合う放熱フィン５１の間の隙間に設けられる。つまり、規制部材８０は、本体部４０の対向する側面４１以外の側面４２に設けられる。これにより、本体部４０がＸ軸正方向またはＸ軸負方向へ向けて下り勾配の姿勢となった場合に、カバー７０がＸ軸方向へ滑り落ちることを防止できる。なお、規制部材８０は、対向する側面４２の中央部に設けられるが、かかる点について、図４を用いて説明する。
【００４８】
図４は、実施形態に係る照明装置１の側面図である。図４には、Ｘ軸負方向から見た照明装置１の側面図の一部を示している。また、図４には、本体部４０の側面４２をＸ軸負方向から見た図を示す。
【００４９】
図４に示すように、本体部４０は、Ｘ軸向きに見通せる形状となっている。つまり、対向する側面４２は、開放面である。これにより、放熱フィン５１の間に空気を循環させることができるため、発光部６０で発生した熱を放熱することができる。
【００５０】
また、図４に示すように、放熱部５０は、複数の放熱フィン５１が間隔を空けて配列される。具体的には、放熱部５０は、放熱フィン５１の配列向きが本体部４０における対向する側面４１を結ぶ向きとなるように設けられる。すなわち、放熱フィン５１は、Ｙ軸方向について所定の間隔で配列される。
【００５１】
また、各放熱フィン５１は、両端が、対向する側面４１以外の側面４２にある。つまり、各放熱フィン５１は、一方の側面４２を起点とし、他方の側面４２に至る、つまりＸ軸方向へ延伸する形状を有する。すなわち、各放熱フィン５１は、側面４１と平行に設けられる。
【００５２】
また、放熱部５０は、各放熱フィン５１のＹ軸向きの間隔のうち、中央部に位置する２つの放熱フィン５１の間隔Ｗが最も広い。つまり、放熱部５０は、放熱フィン５１の間隔Ｗが最も広い部位を放熱フィン５１の配列向きにおける中央部に有する。
【００５３】
これは、図示しない電源ボックス２０と発光部６０とを繋ぐ配線を通すための空間を確保するためである。そこで、実施形態に係る照明装置１では、規制部材８０を放熱フィン５１の間隔が最も広い部位、すなわち中央部に設けることとした。
【００５４】
すなわち、規制部材８０は、間隔Ｗが最も広い部位において、第２アングル部８２が、Ｘ軸正方向へ入り込んだ位置に固定される。また、第１アングル部８１は、第２アングル部８２よりＸ軸負方向側へ設けられる。
【００５５】
具体的には、図４に示す方向視において、第１アングル部８１は、放熱部５０およびカバー７０の側面（Ｘ軸負方向側）の一部を覆うように設けられる。このように、規制部材８０を対向する側面４２の中央部に配置することで、規制部材８０の数を最小限に抑えつつ、カバー７０の重心を水平に保ったまま支えることができる。すなわち、最小限のコストでカバー７０が落下することを防止できる。
【００５６】
なお、規制部材８０が設けられる位置は、間隔Ｗが最も広い中央部に限定されず、中央部以外の放熱フィン５１の間であってもよい。かかる場合、対向する側面４１にそれぞれ設けられる規制部材８０は、カバー７０の重心に近い位置に設けられることが好ましい。
【００５７】
また、図４では、規制部材８０は、各側面４２に１つずつ（計２つ）設けられることとしたが、各側面４２に２つ以上ずつ設けられてもよい。また、規制部材８０は、各側面４２にそれぞれ同じ個数ずつ設けられなくてもよい。すなわち、各側面４２に異なる数の規制部材８０が設けられてもよい。
【００５８】
次に、図５を用いて、規制部材８０の断面形状について説明する。図５は、実施形態に係る規制部材８０の断面図である。図５には、図４におけるＡＡ線で切断した断面をＹ軸負方向からみた図を示す。また、本体部４０の開放面である側面４２を破線で示す。
【００５９】
図５に示すように、放熱部５０およびカバー７０は、側面（Ｘ軸負方向側の端面）が、側面４２に沿って設けられる。つまり、放熱部５０およびカバー７０は、本体部４０内に収まる位置に設けられる。また、第２アングル部８２は、固定具８４によってＺ軸負方向側にある放熱部５０と接した状態で固定される。
【００６０】
ここで、上記したように、第２アングル部８２は、放熱フィン５１の間に設けられる。図５に示すように、規制部材８０は、放熱フィン５１の間から本体部４０の側面４２を通過してカバー７０の前面側に至る屈曲した形状である。
【００６１】
具体的には、第１アングル部８１の取付部８１ｂは、Ｚ軸正方向側にある端部から側面４２を沿うようにしてＺ軸負方向へ延伸することで側面４２を通過する。突出部８１ａは、取付部８１ｂの端部が側面４２を通過後、Ｘ軸正方向側へ屈曲し、カバー７０の前面（
Ｚ軸負方向の端面）に沿うように延伸することで形成される。
【００６２】
このように、放熱フィン５１の間に配置して、カバー７０を挟みこむことで、規制部材８０を容易に取り付けることができる。また、規制部材８０を別途設けるため、本体部４０の金型を変更する必要がないため、コストを抑えることができる。
【００６３】
なお、第１アングル部８１の突出部８１ａは、カバー７０の前面と触れる程度に接することが好ましい。つまり、カバー７０を押圧して固定しないため、突出部８１ａとの接触箇所においてカバー７０に対する負荷を抑えることができる。
【００６４】
また、突出部８１ａは、カバー７０の前面と接してなくてもよい。つまり、突出部８１ａとカバー７０との間に隙間があってもよい。これにより、カバー７０にかかる負荷をなくすことができるため、カバー７０の製品寿命を長くすることができる。
【００６５】
次に、図６を用いて、規制部材８０の配置についてさらに説明する。図６は、実施形態に係る照明装置１の前面図である。図６では、実施形態に係る照明装置１をＺ軸負方向側からみた図を示す。
【００６６】
図６に示すように、発光部６０は、複数の発光素子６１が発光面６４に配置される。すなわち、発光素子６１は、発光面６４であるＸＹ平面上に２次元的に配置され、Ｚ軸負方向へ向けて発光する。なお、発光素子６１は、カバー７０の固定孔７１の直下には設けられない。これは、固定孔７１を通過させる固定具により配光が妨げられるためである。
【００６７】
また、発光部６０は、発光面６４における中央部に配線孔６２およびコネクタ６３を具備する。配線孔６２は、図示しない電源ボックス２０から配設される配線をＺ軸正方向側から通過させ、コネクタ６３へ接続させる。これにより、発光部６０の発光素子６１は、発光可能となる。
【００６８】
また、カバー７０は、発光部６０よりＺ軸負方向側に設けられる。また、カバー７０の前面には、Ｚ軸方向へ貫通した複数の固定孔７１が設けられる。カバー７０は、ネジ等の固定部材を固定孔７１のＺ軸負方向側から通過させ、発光部６０を押圧する。つまり、カバー７０は、発光部６０を背面側（Ｚ軸正方向側）へ押圧して本体部４０へ固定する。
【００６９】
また、図６の方向視において、カバー７０は、発光部６０より面積が大きい。つまり、発光部６０の外周とカバー７０の外周との間に発光素子６０が配置されない領域Ｒが存在する。
【００７０】
図６に示すように、規制部材８０は、前面側（Ｚ軸負方向側）からみて発光部６０の発光素子６１と重ならない領域Ｒに突出する部位が位置するように設けられる。すなわち、突出部８１ａは、発光部６０の外周に届かない位置までＸ軸方向へ延伸する。これにより、発光素子６１のＺ軸負方向への配光を妨げないようにすることができる。
【００７１】
なお、発光部６０の外周と、カバー７０の外周との間を領域Ｒとしたが、領域Ｒは、これに限定されるものではなく、発光素子６１の配光を妨げない位置であれば、例えば発光部６０内に設けられてもよい。
【００７２】
また、突出部８１ａは、支持部１０が設けられる側面４１以外の側面４２（図６で図示せず）の一部から突出するように設けられることとしたが、側面４２全体から突出するように設けられてもよい。また、側面４２に加えて、支持部１０が設けられる側面４１から突出するように設けられてもよい。かかる点について、図７を用いて説明する。
【００７３】
（変形例）
図７は、実施形態に係る規制部材８０の変形例を示す図である。図７に示すように、規制部材８０の突出部８１ａは、側面４２全体からＸ軸方向へ突出するように設けられてもよい。これにより、カバー７０を支える際の安定性を向上させることができる。
【００７４】
さらに、図７に示すように、突出部８１ａは、Ｙ軸正方向および負方向にある突出部８１ａの両端から側面４１側（Ｘ軸方向側）へ延伸するように設けられてもよい。かかる場合に、第２アングル部８２は、側面４２の放熱フィン５１の間のみに設けられることとしてもよいし、側面４１にも追加で設けられることとしてもよい。
【００７５】
これより、Ｘ軸方向への横滑りだけでなく、Ｙ軸方向へのカバー７０の横滑りを防止できる。つまり、照明装置１がＸＹ軸方向のどの方向へ下り勾配の姿勢になろうとも、カバー７０が落下することを防止できる。
【００７６】
なお、上述した実施形態では、照明装置１が、電源ボックス２０と、本体部４０とを１つずつ具備する場合を示したが、これに限られない。すなわち、照明装置１が１つの電源ボックス２０と複数の本体部４０とを具備することにしてもよく、複数の電源ボックス２０と、１つの本体部４０とを具備することにしてもよい。また、本体部４０に複数の発光部６０を並べて配置することとしてもよい。
【００７７】
また、上述した実施形態では、カバー７０は、固定具により発光部６０に固定したが、固定具により発光部６０に固定しなくてもよい。つまり、カバー７０は、固定孔７１を有さなくてもよい。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７９】
１    照明装置
１０    支持部
２０    電源ボックス
３０    端子台カバー
３１    端子台
４０    本体部
５０    放熱部
５１    放熱フィン
６０    発光部
６１    発光素子
７０    透光性カバー、カバー
７１    固定孔
８０    規制部材
８１    第１アングル部
８１ａ  突出部
８１ｂ  取付部
８２    第２アングル部
８２ａ  固定部
８２ｂ  連結部
４１，４２  側面
Ｒ    領域
【図１】
2018055794.tif 000003
【図２】
2018055794.tif 000004
【図３】
2018055794.tif 000005
【図４】
2018055794.tif 000006
【図５】
2018055794.tif 000007
【図６】
2018055794.tif 000008
【図７】
2018055794.tif 000009